(57)【要約】【課題】同一原稿を複数回送信しても、送信完了を示すスタンプを容易に確認できるようにした自動原稿読取り装置および画像形成方法を提供する。【解決手段】自動原稿読取り装置１００は、制御部１０、搬送手段１１、読み取り部１２、一時停止センサ１３、表示部１４、スタンプ手段１５、ファクシミリ送受信部１６を備えている。例えばＦＡＸ送信の場合、読み取り部１２により原稿の情報を読み取り、取得した情報に基づいて、制御部１０は原稿上にあるスタンプの位置情報を検出し、原稿上でスタンプの位置情報が検出されたとき、位置情報に基づいて、スタンパーの位置を移動し、検出されたスタンプの位置と異なる所定位置にスタンプを押印することによって、新たに押印するスタンプの位置を前のスタンプ位置と異なる位置にすることができるため、同一原稿を複数回送信しても、送信完了を示すスタンプを容易に確認できる。【選択図】　　　　図１
2004015550.tif 000002
【特許請求の範囲】
【請求項１】
原稿の読み取り完了を示す印画像を形成する自動原稿読取り装置であって、
前記原稿を搬送する搬送手段と、
前記搬送手段により搬送されてきた原稿の情報を読み取る読み取り部と、
前記読み取り部を通過した原稿の情報面に印画像を形成する画像形成手段と、
前記画像形成手段および／又は搬送手段を制御する制御手段とを備え、
前記制御手段は、
前記読み取り部を利用して、前記原稿上の印画像の有無を検出し、
少なくとも、前記原稿上で前記印画像が検出された場合は、前記印画像の位置と異なる所定位置に前記印画像を形成するように画像形成手段を制御する
ことを特徴とする自動原稿読取り装置。
【請求項２】
前記画像形成手段は、
前記原稿の搬送方向に対して直交する方向に移動する駆動系を有して、
前記搬送手段の前記原稿を排紙する排紙ローラの手前に設けられる
ことを特徴とする請求項１に記載の自動原稿読取り装置。
【請求項３】
前記制御手段は、
前記原稿上で前記印画像が検出された場合、前記画像形成手段を前記原稿の搬送方向に対して直交する方向に移動し、既存の印画像の位置と異なる所定位置に印画像を形成する
ことを特徴とする請求項１および請求項２のいずれかに記載の自動原稿読取り装置。
【請求項４】
前記画像形成手段を所定の位置に固定する場合であって、
前記制御手段は、
前記原稿の読み取り完了を示す印画像を形成するために、前記読み取り部を通過した前記原稿の搬送を一時的に停止させ、
前記原稿上で前記印画像が検出された場合、前記搬送手段を制御して原稿の停止位置を変更し、既存の印画像の位置と異なる所定位置に印画像を形成する
ことを特徴とする請求項１に記載の自動原稿読取り装置。
【請求項５】
原稿の読み取り完了を示す印画像を形成する自動原稿読取り装置であって、
前記原稿を搬送する搬送手段と、
前記搬送手段により搬送されてきた原稿の情報を読み取る読み取り部と、
前記読み取り部を通過した原稿の情報面に印画像を形成する画像形成手段と、
前記画像形成手段によって形成される印画像の位置を指定する情報を入力する入力手段と、
前記画像形成手段および搬送手段を制御する制御手段とを備え、
前記制御手段は、
前記入力手段により入力された位置情報に基づいて、前記原稿の所定位置に印画像を形成するように画像形成手段を制御する
ことを特徴とする自動原稿読取り装置。
【請求項６】
予定印画像位置を事前にユーザに報せる表示手段を更に有する
ことを特徴とする請求項５に記載の自動原稿読取り装置。
【請求項７】
前記画像形成手段は、
前記原稿の搬送方向に対して直交する方向に移動する駆動系を有して、
前記搬送手段の前記原稿を排紙する排紙ローラの手前に設けられる
ことを特徴とする請求項５および請求項６のいずれかに記載の自動原稿読取り装置。
【請求項８】
前記制御手段は、
前記原稿上で前記印画像が検出された場合、前記画像形成手段を前記原稿の搬送方向に対して直交する方向に移動し、既存の印画像の位置と異なる所定位置に印画像を形成する
ことを特徴とする請求項５から請求項７のいずれかに記載の自動原稿読取り装置。
【請求項９】
前記画像形成手段を所定の位置に固定する場合であって、
前記制御手段は、
前記原稿の読み取り完了を示す印画像を形成するために、前記読み取り部を通過した前記原稿の搬送を一時的に停止させ、
前記原稿上で前記印画像が検出された場合、前記搬送手段を制御して原稿の停止位置を変更し、既存の印画像の位置と異なる所定位置に印画像を形成する
ことを特徴とする請求項５に記載の自動原稿読取り装置。
【請求項１０】
原稿の読み取り完了を示す印画像を形成する画像形成方法であって、
前記原稿の情報を読み取り、
取得した前記情報に基づいて、前記原稿上の印画像の有無を検出し、
前記原稿上で前記印画像が検出された場合、前記印画像の位置と異なる所定位置に印画像を形成する
ことを特徴とする画像形成方法。
【請求項１１】
原稿の読み取り完了を示す印画像を形成する画像形成方法であって、
前記原稿に前記印画像を形成する位置情報を入力し、
入力された位置情報に基づいて、前記原稿の所定位置に印画像を形成する
ことを特徴とする画像形成方法。
【発明の詳細な説明】
【０００１】
【発明の属する技術分野】
この発明は、ファクシミリ機能を有する画像形成装置等に適用して好適な自動原稿読取り装置および画像形成方法に関するものである。
【０００２】
【従来の技術】
最近のファクシミリ装置には自動原稿送り装置（Ａｕｔｏ　Ｄｏｃｕｍｅｎｔ　Ｆｅｅｄｅｒ）付きのもの（以下、自動原稿読取り装置という）が多くなっている。このような自動原稿読取り装置には複数枚の原稿がセットされており、ファクシミリ送信する際に、セットされた原稿を１枚ずつ原稿読取位置に送給する。原稿読取位置で搬送されてきた原稿に光源から光を照射して、その反射光を光学系を介してＣＣＤに入射することで原稿を走査し、原稿の画像を所定の解像度で読み取る。読み取った画像を処理して送信するようにされている。
【０００３】
また、このような自動原稿読取り装置には、原稿送信を終了したことを示すための原稿への印字（印画像）装置（以下、スタンプ手段という）が装備されているものがある。例えば、スタンプ手段は、原稿を読取る読み取り部と原稿を排紙トレイに排出する排紙ローラとの間に設けられる。読み取り部を通過した原稿は排紙ローラの手前で一時停止し、スタンプ手段により読取りが終了した原稿にスタンプを押印するようになされている。
【０００４】
上述のような自動原稿読取り装置を使用してファクシミリ（ＦＡＸ）送信を行う場合、送信を終了したことを示すために、原稿の予め定められた位置に送信完了を示す印（スタンプ）を押すことで、ユーザーに報せるようにしている（図１０参照）。図１０に示すように、送信後の原稿の後部に丸い形状のスタンプが押印されている。これによって、ユーザが原稿の送信済みを確認することができる。
【０００５】
【発明が解決しようとする課題】
ところで、従来の自動原稿読取り装置を用いてＦＡＸ送信を行う場合、送信完了を示すスタンプは、常に一定の位置に固定されているため、同一原稿を複数回送信する場合、２回目以降の送信完了を示すスタンプが前回送信したとき押されたスタンプと重ねて、新たに押されたスタンプの確認は困難である。
【０００６】
そこで、この発明は上述した課題を解決したものであって、同一原稿を複数回送信しても、送信完了を示すスタンプを容易に確認できるようにした自動原稿読取り装置および画像形成方法を提供することを目的とする。
【０００７】
【課題を解決するための手段】
上記課題を解決するために、本発明に係る第１の自動原稿読取り装置は、原稿の読み取り完了確認印を付ける機能を有する自動原稿読取り装置であって、原稿を搬送する搬送手段と、搬送手段により搬送されてきた原稿の情報を読み取る読み取り部と、読み取り部を通過した原稿の情報面に印画像を形成する画像形成手段と、画像形成手段および搬送手段を制御する制御手段とを備え、制御手段は、読み取り部を利用して、原稿上の印画像の有無を検出し、少なくとも、原稿上で前記印画像が検出された場合は、印画像の位置と異なる所定位置に印画像を形成するように画像形成手段を制御するものである。
【０００８】
本発明に係る第１の自動原稿読取り装置によれば、読み取り部で原稿の情報が読み取られ、読み取り部を利用して、原稿上の印画像の有無の検出が行われ、当該原稿上で印画像が検出された場合、該当印画像の位置と異なる位置に印画像が形成される。
【０００９】
これによって、新たに形成する印画像の位置を前の印画像位置と異なる位置にすることができるため、例えばファクシミリ送信する場合、同一原稿を複数回送信しても、送信完了を示す印画像を容易に確認することが可能となる。
【００１０】
本発明に係る第２の自動原稿読取り装置は、原稿の読み取り完了確認印を付ける機能を有する自動原稿読取り装置であって、原稿を搬送する搬送手段と、搬送手段により搬送されてきた原稿の情報を読み取る読み取り部と、読み取り部を通過した原稿の情報面に印画像を形成する画像形成手段と、画像形成手段によって形成される印画像の位置を指定する情報を入力する入力手段と、画像形成手段および搬送手段を制御する制御手段とを備え、制御手段は、入力手段により入力された位置情報に基づいて、原稿の所定位置に印画像を形成するように画像形成手段を制御するものである。
【００１１】
本発明に係る第２の自動原稿読取り装置によれば、原稿の情報読み取り前に、原稿に印画像を形成する位置情報が入力され、入力された位置情報に基づいて、原稿の所定位置に印画像が形成される。
【００１２】
これによって、ユーザーが新たに形成する印画像の位置を自由に選択することができるため、例えばファクシミリ送信する場合、同一原稿を複数回送信しても、送信完了を示す印画像を容易に確認することが可能となる。
【００１３】
本発明に係る第１の画像形成方法は、原稿の読み取り完了確認印を付ける画像形成方法であって、原稿の情報を読み取り、取得した情報に基づいて、原稿上の印画像の有無を検出し、原稿上で印画像が検出された場合、該当印画像の位置と異なる所定位置に印画像を形成するものである。
【００１４】
本発明に係る第１の画像形成方法によれば、新たに形成する印画像の位置を既存の印画像位置と異なる位置にすることができるため、例えばファクシミリ送信する場合、同一原稿を複数回送信しても、送信完了を示す印画像を容易に確認することが可能となる。
【００１５】
本発明に係る第２の画像形成方法は、原稿の読み取り完了確認印を付ける画像形成方法であって、原稿に前記印画像を形成する位置情報を入力し、入力された位置情報に基づいて、原稿の所定位置に印画像を形成するものである。
【００１６】
本発明に係る第２の画像形成方法によれば、ユーザーが新たに形成する印画像の位置を自由に選択することができるため、例えばファクシミリ送信する場合、同一原稿を複数回送信しても、送信完了を示す印画像を容易に確認することが可能となる。
【００１７】
【発明の実施の形態】
以下、図面を参照しながら、この発明の実施の形態としての自動原稿読取り装置および画像形成方法について説明をする。
図１は、本発明に係る第１の実施の形態の自動原稿読取り装置１００の構成例を示すブロック図である。図２は、自動原稿読取り装置１００の要部断面図である。
【００１８】
この実施の形態では原稿にある印画像、例えばスタンプを検出する機能を有する制御手段を備え、原稿の情報を読み取る時に取得した情報に基づいて、原稿上のスタンプの有無の検出を行い、当該原稿上でスタンプが検出された場合、該当スタンプの位置と異なる位置にスタンプをするようにして、新たに押印するスタンプの位置を既存のスタンプ位置と異なる位置にすることができ、同一原稿を複数回送信しても、送信完了を示すスタンプを容易に確認できるようにしたものである。
【００１９】
図１に示す自動原稿読取り装置１００はファクシミリ機能有するものであり、電子写真方式を用いた複写機能を有する複写機、複合機等の画像形成装置等に適用して好適である。自動原稿読取り装置１００は、制御部１０、搬送手段１１、読み取り部１２、一時停止センサ１３、表示部１４、画像形成手段としてのスタンプ手段１５、ファクシミリ送受信部１６を備えている。
【００２０】
制御部１０は、例えばＣＰＵ１０ａ、ＲＯＭ１０ｂ、ＲＡＭ１０ｃ、画像メモリ１０ｄ、タイマ１０ｅを備えている。ＣＰＵ１０ａはＲＯＭ１０ｂに格納された制御プログラムに従って、ＲＡＭ１０ｃをワークエリアとして使用しながら、自動原稿読取り装置１００の全体の動作を制御する。また、画像メモリ１０ｄは読み取り部１２から読み込んだ原稿の情報（送信画像）を符号化処理や復号化処理等の画像処理を行う場合の一時メモリ等として利用される。
【００２１】
この制御部１０には、原稿Ｐ上のスタンプの有無を検出する検出機能が設けられている。読み取り部１２により得られた原稿Ｐの情報中にスタンプの有無を判断し、押されたスタンプがある場合、そのスタンプの位置を検出するようになされる。
【００２２】
また、制御部１０は、一時停止センサ１３の出力によりタイマ１０ｅを起動し、通過した原稿Ｐを所定時間、例えば数秒程度で一時的に停止させ、所定の位置にスタンプを押印するように制御する。この場合、一時停止センサ１３で通過原稿Ｐの後端を検出した時からＸ秒に、原稿Ｐが原稿読取位置２５（図２参照）を通過して、原稿Ｐのスタンプをする予定位置に到達すると、原稿Ｐの搬送を一時停止し、検出されたスタンプ情報に基づいて、スタンプ手段１５を移動させ、旧スタンプと異なる位置にスタンプを押印する。例えば、既に２回送信された原稿Ｐに対して、第１回および第２回送信時に押印されたスタンプ位置１およびスタンプ位置２と異なる位置（スタンプ位置３）に新たなスタンプを押印するようになされる。この場合、図３に示すように、送信後の原稿Ｐの後部、例えば後端から５〜１０ｍｍの位置に並べて３つの丸い形状のスタンプが押印されている。
【００２３】
搬送手段１１は、図２に示すように、給紙ローラ２１、給紙路２２、排紙路２３、排紙ローラ２４を備える。搬送手段１１は、給紙トレイ２８から原稿Ｐを、一枚ずつ給紙路２２を介してスリットガラス２６が設けられている原稿読取位置２５に搬送し、原稿読取位置２５を通過すると同時に読み取り部１２により原稿Ｐの情報を読み取り、そして、原稿読取位置２５から排紙路２３を介して排紙ローラ２４により排紙トレイ２９に排出する。
【００２４】
読み取り部１２は、原稿Ｐの情報を読み取る処理を行う装置である。例えば、ＣＣＤ（Ｃｈａｒｇｅ　Ｃｏｕｐｌｅｄ　Ｄｅｖｉｃｅ）を利用したイメージスキャナ等が利用されている。読み取り部１２は、搬送手段１１により搬送されてきた原稿Ｐに光源から光を照射して、その反射光を光学系を介してＣＣＤに入射することで原稿Ｐを走査し、原稿Ｐの画像を所定の解像度で読み取る。
【００２５】
一時停止センサ１３は、原稿Ｐがスタンプ位置に精確に搬送するため、例えば、通過する原稿Ｐの後端を検出するセンサである。一時停止センサ１３が検出した信号を制御部１０に供給し、制御部１０により原稿Ｐを所定位置に一時的に停止するようになされる。
【００２６】
表示部１４は、ＦＡＸ送信などを行うときの設定内容および動作状態を表示するための手段であり、例えば、ＬＣＤ（Ｌｉｑｕｉｄ　Ｃｒｙｓｔａｌ　Ｄｉｓｐｌａｙ）からなる。この表示部１４は、ユーザが捺印モードを選択するときの選択画面を表示するようになされる。
【００２７】
スタンプ手段１５は、図２に示すように、排紙ローラ２４の手前の排紙路２３の下に配置されている。その排紙路２３の反対側にスタンプを押すための平板２７が設けられている。スタンプ手段１５と平板２７との間に原稿Ｐが通過できるようにされている。
【００２８】
スタンプ手段１５は、図４に示すように、スタンパー１５ａ、駆動モータ１５ｂ、スライド機構１５ｃを備えている。スタンパー１５ａは、スタンプソレノイドを有し、制御部１０からの制御信号により上下に移動することができる。この場合、スタンプを押すとき、上に移動し、スタンプをしないときは下の位置にする。また、駆動モータ１５ｂは、例えばステッピングモータを用い、制御部１０からの制御信号によりスライド機構１５ｃに沿って所定範囲に移動することができる。
【００２９】
また、スタンパー１５ａの先端部は、例えば丸型にされる。この場合、原稿Ｐに押されたスタンプは、使用するインクによって赤い丸、又は黒い丸となる。なお、スタンプの形状は丸以外の形にしてもよい。
【００３０】
なお、スタンプ手段１５は、駆動モータ１５ｂおよびスライド機構１５ｃを備えずに、スタンパー１５ａを原稿Ｐの上部または下部に対応する所定位置に配置するようにしてもよい。この場合、後述するように、制御部１０は搬送手段１１を制御して原稿の停止位置を変更し、原稿Ｐに既存のスタンプの位置と異なる所定位置にスタンプを押印するようになされる。
【００３１】
続いて、本発明に係る第１の画像形成方法について自動原稿読取り装置１００の動作例を説明する。図５は自動原稿読取り装置１００における動作例を示すフローチャートである。
【００３２】
この実施形態では読み取り部１２で読み取った原稿Ｐの情報に基づいて、原稿Ｐのスタンプの有無を検出し、当該原稿Ｐにスタンプが検出された場合は、それに基づいて、当該スタンプの位置と異なる所定位置にスタンプを押印する場合を前提とする。
【００３３】
これを前提にして、まず、図５に示すフローチャートのステップＳ１１で、ユーザが捺印機能を選択する。そして、ステップＳ１２で、開始ボタン、例えばＦＡＸ送信開始ボタンを押すと、ステップＳ１３で、搬送手段１１により原稿Ｐを搬送する。
【００３４】
ステップＳ１４で、原稿読取位置２５に搬送された原稿Ｐの情報を読み取る。そして、ステップＳ１５で、読み取った原稿Ｐの情報に基づいて、原稿Ｐのスタンプ（旧スタンプ）位置を検出する。
【００３５】
次に、ステップＳ１６で、検出されたスタンプ位置が１の位置であるかを判断する。１の位置ではない場合、即ち、原稿Ｐにはスタンプが検出されなかった（旧スタンプがない）場合、ステップＳ１７で、スタンプ位置１にスタンプを押印する。そして、ステップＳ１８で、捺印された原稿Ｐを排出して、動作が終了する。
【００３６】
また、ステップＳ１６で、検出されたスタンプ位置が１の位置である場合、即ち、スタンプ位置１にスタンプが既に存在している場合、ステップＳ１９へ進む。ステップＳ１９で、検出されたスタンプ位置が２の位置であるかを判断する。２の位置ではない場合、即ちスタンプ位置２にスタンプが押されていない場合、次のステップＳ２０で、スタンパー位置をスタンプ位置１からスタンプ位置２へ移動する。次に、ステップＳ２１で、スタンプ位置２にスタンプを押印する。そして、ステップＳ１８で、捺印された原稿Ｐを排出して、動作が終了する。
【００３７】
また、ステップＳ１６で、検出されたスタンプ位置が１の位置であり、さらにステップＳ１９で、検出されたスタンプ位置が２の位置である場合、ステップＳ２２へ進む。ステップＳ２２で、検出されたスタンプ位置がＮの位置であるかを判断する。Ｎの位置ではない場合、即ちスタンプ位置Ｎにスタンプが押されていない場合、次のステップＳ２３で、スタンパー位置をスタンプ位置１からスタンプ位置Ｎへ移動する。次に、ステップＳ２４で、スタンプ位置Ｎにスタンプを押印する。そして、ステップＳ１８で、捺印された原稿Ｐを排出して、動作が終了する。
【００３８】
以上のように検出されたスタンプの位置情報（例えば、位置１、位置２・・・位置）に基づいて、スタンプ位置を決定し、スタンプを押印するようになされている。
【００３９】
このように、本発明に係る第１の実施形態としての自動原稿読取り装置１００及び画像形成方法によれば、読み取り部１２により原稿Ｐの情報を読み取り、取得した情報に基づいて、制御部１０は原稿上にあるスタンプの位置情報を検出し、原稿Ｐ上にスタンプの位置情報が検出されたとき、スタンパーの位置を移動し、検出されたスタンプの位置と異なる所定位置にスタンプを押印するようになされる。
【００４０】
これによって、新たに押印するスタンプの位置を前のスタンプ位置と異なる位置にすることができるため、ファクシミリ送信する場合、同一原稿を複数回送信しても、送信完了を示すスタンプを容易に確認できる。
【００４１】
次に、この発明の第２の実施の形態としての自動原稿読取り装置２００について説明をする。
図６は、本発明に係る第２の実施の形態の自動原稿読取り装置２００の構成例を示すブロック図である。
【００４２】
この実施の形態では、原稿にスタンプを押す位置情報が入力する入力手段を備え、原稿にスタンプを押す位置情報を入力し、入力された位置情報に基づいて、原稿の所定位置にスタンプを押印するようにして、ユーザーが新たに押印するスタンプの位置を自由に選択することができるようにしたものである。
【００４３】
図６に示す自動原稿読取り装置２００は、原稿にスタンプを押す位置の情報が入力する入力手段を備え、ファクシミリ機能を有するものであり、電子写真方式を用いた複写機能を有する複写機、複合機等の画像形成装置等に適用して好適である。また、この図６において、図１と対応する部分には同一符号を付して示している。その詳細説明を省略する。
【００４４】
図６に示すように、自動原稿読取り装置２００は、制御部１０Ａ、搬送手段１１、読み取り部１２、一時停止センサ１３、表示部１４Ａ、スタンプ手段１５、ファクシミリ送受信部１６、入力手段１７を備えている。
【００４５】
制御部１０Ａは、原稿上のスタンプの有無を検出する検出機能が設けられていない以外に、自動原稿読取り装置１００の制御部１０と同一仕様とされる。
【００４６】
表示部１４Ａは、ＦＡＸ送信などを行うときの設定内容および動作状態を表示するための手段であり、例えば、ＬＣＤ（Ｌｉｑｕｉｄ　Ｃｒｙｓｔａｌ　Ｄｉｓｐｌａｙ）からなる。この表示部１４Ａは、予定スタンプ位置を表示する表示手段を備える。ユーザが捺印モードを選択すると、使用する原稿に対して予定スタンプ位置を表示するようになされる。ユーザが表示部１４Ａの表示に基づいてスタンプ位置を選択するようになされる。
【００４７】
入力手段１７は、例えば液晶表示機能付きのタッチパネルで構成され、送信宛先の電話番号等を入力する手段である。また、この入力手段１７は、予定するスタンプの位置情報を入力することができる。
【００４８】
図７は、スタンプ位置を選択するための予定スタンプ位置を表示する画面の表示例を示す図である。図７に示すように、使用する原稿のイメージが表示され、原稿の左端から、例えば５〜１０ｍｍの位置に、選択可能なスタンプ位置が表示されている。原稿の右側にスタンプを選択するためのアップ／ダウンキーが設けられている。ユーザがこのアップ／ダウンキーを利用して、選択用マーカＭを移動させ、スタンプの位置を選択する。スタンプの位置を選択した後、表示画面に設けられたＯＫキーを押すと、スタンプ位置が決定されると共に、この選択画面が終了し、通常の表示画面（例えば数字など入力キーを有する画面）に戻す。
【００４９】
続いて、本発明に係る第２の画像形成方法について自動原稿読取り装置２００の動作例を説明する。図８は自動原稿読取り装置２００における動作例を示すフローチャートである。
【００５０】
この実施形態では原稿Ｐの情報を読み取る前に、ユーザが入力手段１７からスタンプ位置を指示し、入力したスタンプ位置情報に基づいて、スタンパーの位置を移動して、スタンプを押印する場合を前提とする。
【００５１】
これを前提にして、まず、図８に示すフローチャートのステップＳ３１で、ユーザが捺印機能を選択する。これによって、スタンプ位置選択画面（図７参照）が表示される。ステップＳ３２で、スタンプ位置を入力する。この場合、ユーザが選択用マーカＭを移動させ、スタンプ位置を選択して、ＯＫキーを押すと、指定した位置情報が入力される。次に、ステップＳ３３で、開始ボタン、例えばＦＡＸ送信開始ボタンを押すと、ステップＳ３４で、搬送手段１１により原稿Ｐを搬送する。また、ステップＳ１４で、読取位置に搬送された原稿Ｐの情報を読み取る。
【００５２】
次に、ステップＳ３６で、指定されたスタンプ位置が１の位置であるかを判断する。１の位置である場合（ＹＥＳの場合）は、ステップＳ３７で、スタンプ位置１にスタンプを押印する。そして、ステップＳ３８で、捺印された原稿Ｐを排出して、動作が終了する。
【００５３】
また、ステップＳ３６で、指定されたスタンプ位置が１の位置ではない場合（ＮＯの場合）は、ステップＳ３９へ進む。ステップＳ３９で、指定されたスタンプ位置が２の位置であるかを判断する。２の位置である場合（ＹＥＳの場合）は、次のステップＳ４０で、スタンパー位置をスタンプ位置１からスタンプ位置２へ移動する。次に、ステップＳ４１で、スタンプ位置２にスタンプを押印する。そして、ステップＳ３８で、捺印された原稿Ｐを排出して、動作が終了する。
【００５４】
また、ステップＳ３６で、指定されたスタンプ位置が１の位置ではない、さらにステップＳ３９で、指定されたスタンプ位置が２の位置ではない場合、ステップＳ４２へ進む。ステップＳ４２で、指定されたスタンプ位置がＮの位置であるかを判断する。Ｎの位置である場合（ＹＥＳの場合）は、次のステップＳ４３で、スタンパー位置をスタンプ位置１からスタンプ位置Ｎへ移動する。次に、ステップＳ４４で、スタンプ位置Ｎにスタンプを押印する。そして、ステップＳ３８で、捺印された原稿Ｐを排出して、動作が終了する。
【００５５】
以上のように指定されたスタンプの位置情報（例えば、位置１、位置２・・・位置Ｎ）に基づいて、スタンプを押印するようになされている。
【００５６】
このように、本発明に係る第２の実施形態としての自動原稿読取り装置２００によれば、原稿Ｐの情報を読み取る前に、ユーザが原稿Ｐにスタンプを押す位置の情報を入力する。原稿読み取り後、入力された位置の情報に基づいて、原稿Ｐの所定位置にスタンプを押印するようになされる。
【００５７】
これによって、ユーザーが新たに押印するスタンプの位置を自由に選択することができるため、ファクシミリ送信する場合、同一原稿を複数回送信しても、送信完了を示すスタンプを容易に確認できる。
【００５８】
なお、上述実施の形態においては、自動原稿読取り装置１００および２００がスタンパーの位置を移動することでスタンプの位置を変更するものを示したが、これに限定されるものではない。スタンパーの位置を固定して、原稿Ｐの位置を変更させることによってスタンプの位置を変更してもよい。
【００５９】
この場合、検出されたスタンプの位置情報または指定されたスタンプの位置情報に基づいて、一時停止センサ１３から原稿Ｐの後端を検出した時点からスタンプを押印するための原稿搬送の一時停止までの時間Ｓを変更することによって、スタンプの位置を変更させるようになされる。
【００６０】
図９は、スタンパーの位置を原稿Ｐの下端に対応する位置に固定する場合のスタンプを押印した例である。例えば、スタンプ位置１にはスタンプが検出されたとき、スタンプ位置２にスタンプを押印するために、原稿Ｐの一時停止の位置をスタンプ位置１の場合より前にずらすように制御される。また、スタンプ位置２にもスタンプが検出されたとき、スタンプ位置３にスタンプを押印するために、原稿Ｐの一時停止の位置をスタンプ位置２の場合より前にずらすように制御される。この例の場合、一時停止センサ１３から原稿Ｐの後端を検出した時点からスタンプを押印するための原稿搬送の一時停止までの時間は、スタンプ位置１のときＳ１、スタンプ位置２のときＳ２、スタンプ位置３のときＳ３とすれば、それぞれの時間関係はＳ１＜Ｓ２＜Ｓ３である。このように検出されたスタンプの位置情報または指定されたスタンプの位置情報に基づいて、スタンプ位置を変更する。
【００６１】
これにより、スタンパーの位置を移動するための駆動系が必要なく、低コストを実現することができる。
【００６２】
また、上述実施の形態においては、自動原稿読取り装置１００は自動的にスタンプ位置を設定するもの、また自動原稿読取り装置２００は手動でスタンプ位置を設定するものをそれぞれ説明したが、一つの自動原稿読取り装置には自動と手動でスタンプ位置を設定できるようにしてもよい。この場合、例えばユーザが自動選択モードと手動選択モードの切り替えを行うことによって必要に応じて任意に選択することができる。
【００６３】
【発明の効果】
以上説明したように、本発明に係る第１の自動原稿読取り装置によれば、読み取り部を通過した原稿の情報面に印画像を形成する画像形成手段を制御する制御手段を備え、原稿の読み取り完了確認印を付ける際に、原稿の情報を読み取る時に取得した情報に基づいて、原稿上の印画像の有無の検出を行い、当該原稿上で印画像が検出された場合、該当印画像の位置と異なる位置に印画像を形成するようになされる。
【００６４】
この構成によって、新たに形成する印画像の位置を前の印画像位置と異なる位置にすることができるため、例えばファクシミリ送信する場合、同一原稿を複数回送信しても、送信完了を示す印画像を容易に確認できる。
【００６５】
本発明に係る第２の自動原稿読取り装置によれば、原稿に印画像を形成する位置情報を入力する入力手段を備え、原稿の読み取り完了確認印を付ける際に、原稿に印画像を形成する位置情報を入力し、入力された位置情報に基づいて、原稿の所定位置に印画像を形成するようになされる。
【００６６】
この構成によって、ユーザーが新たに形成する印画像の位置を自由に選択することができるため、例えばファクシミリ送信する場合、同一原稿を複数回送信しても、送信完了を示す印画像を容易に確認できる。
【００６７】
本発明に係る第１の画像形成方法によれば、原稿の情報を読み取る時に取得した情報に基づいて、原稿上に印画像の有無の検出を行い、当該原稿上で印画像が検出された場合、検出された印画像の位置と異なる所定位置に印画像を形成するようになされる。
【００６８】
これによって、新たに形成する印画像の位置を前の印画像位置と異なる位置にすることができるため、例えばファクシミリ送信する場合、同一原稿を複数回送信しても、送信完了を示す印画像を容易に確認できる。
【００６９】
本発明に係る第２の画像形成方法によれば、原稿に印画像を形成する位置情報を入力し、入力された位置情報に基づいて、当該原稿の所定位置に印画像を形成するようになされる。
【００７０】
これによって、ユーザーが新たに形成する印画像の位置を自由に選択することができるため、例えばファクシミリ送信する場合、同一原稿を複数回送信しても、送信完了を示す印画像を容易に確認できる。
【００７１】
この発明は、原原稿の読み取り完了確認印を付ける機能を有するファクシミリ装置に適用して極めて好適である。
【図面の簡単な説明】
【図１】第１の実施の形態としての自動原稿読取り装置１００の構成例を示すブロック図である。
【図２】自動原稿読取り装置１００の要部を示す断面図である。
【図３】スタンプ位置の例を示す図である。
【図４】スタンプ手段１５の構成例を示す図である。
【図５】自動原稿読取り装置１００の動作フローチャート図である。
【図６】第２の実施の形態としての自動原稿読取り装置２００の構成例を示すブロック図である。
【図７】スタンプ位置を選択するための操作画面の例を示す図である。
【図８】自動原稿読取り装置２００の動作フローチャート図である。
【図９】他のスタンプ位置例を示す図である。
【図１０】従来のスタンプ位置例を示す図である。
【符号の説明】
１０　制御部（制御手段）
１０ｄ　画像メモリ
１０ｅ　タイマ
１１　搬送手段
１２　読み取り部
１３　一時停止センサ
１４　表示部（表示手段）
１５　スタンプ手段（画像形成手段）
１５ａ　スタンパー
１５ｂ　駆動モータ
１５ｃ　スライド機構
１６　ファクシミリ送受信部
１７　入力手段
２１　給紙ローラ
２２　給紙路
２３　排紙路
２４　排紙ローラ
２５　読取位置
１００，２００　自動原稿読取り装置
Ｐ　原稿
【図１】
2004015550.tif 000003
【図２】
2004015550.tif 000004
【図３】
2004015550.tif 000005
【図４】
2004015550.tif 000006
【図５】
2004015550.tif 000007
【図６】
2004015550.tif 000008
【図７】
2004015550.tif 000009
【図８】
2004015550.tif 000010
【図９】
2004015550.tif 000011
【図１０】
2004015550.tif 000012